(57)【要約】【課題】  ＩＣチップが設けられる部分によって表示部の表示領域が制約を受けず、表示部の表示領域を十分に確保できる。【解決手段】  時刻表示部の周囲を囲む枠状部１５に折曲部１６を折り曲げ可能に設けたフィルム基板１２を備え、このフィルム基板１２の枠状部１６における表裏面に配線１７を設けてアンテナ１３を構成すると共に、フィルム基板１２の折曲部１６にＩＣチップ１４を設けた。従って、折曲部１６が枠状部１５からフィルム基板１２の面方向に突出していても、この折曲部１６を枠状部の外周側に突出しないように折り曲げることができる。このため、フィルム基板１２全体の外径が大きくならず、しかも枠状部１５の内径が折曲部１６によって制約を受けることがないので、枠状部１６の内径を大きくすることができ、これにより時刻表示部の表示領域を広くすることができる。【選択図】        図４
2005181163.tif 000002
【特許請求の範囲】
【請求項１】
表示部の周囲を囲む枠状部に折曲部を折り曲げ可能に設けたフィルム基板と、
このフィルム基板の前記枠状部の表裏面の少なくとも一面に配線を設けてなるアンテナと、
前記フィルム基板の前記折曲部に設けられて前記アンテナと電気的に接続されたＩＣチップと
を備えたことを特徴とする無線モジュール。
【請求項２】
前記枠状部は、第１枠状部と第２枠状部とが互いに重なり合うように連結部によって折り曲げ可能に連結された構成で、前記第１枠状部には前記折曲部が設けられ、前記アンテナは、前記第１、第２枠状部を展開した状態で前記第１、第２枠状部の同一面側に位置する各一面と前記第１枠状部の他面とに配線が設けられた構成であることを特徴とする請求項１に記載の無線モジュール。
【請求項３】
腕時計ケースと、この腕時計ケースの上部に設けられた時計ガラスと、この時計ガラスに対応して前記腕時計ケース内に設けられた時刻表示部と、前記時計ガラスの下側に配置されて前記時刻表示部の周囲を囲む無線モジュールとを備え、
前記無線モジュールは、前記時刻表示部の周囲を囲む枠状部に折曲部を折り曲げ可能に設けたフィルム基板と、このフィルム基板の前記枠状部の表裏面の少なくとも一面に配線を設けてなるアンテナと、前記フィルム基板の前記折曲部に設けられて前記アンテナと電気的に接続されたＩＣチップとからなることを特徴とする無線モジュールを備えた腕時計。
【請求項４】
前記フィルム基板の前記枠状部は、第１枠状部と第２枠状部とが互いに重なり合うように連結部によって折り曲げ可能に連結された構成で、前記第１枠状部には前記折曲部が設けられ、前記アンテナは、前記第１、第２枠状部を展開した状態で前記第１、第２枠状部の同一面側に位置する各一面と前記第１枠状部の他面とに配線が設けられた構成であることを特徴とする請求項３に記載の無線モジュールを備えた腕時計。
【発明の詳細な説明】
【技術分野】
【０００１】
この発明は、無線式ＩＤ（ＲＦＩＤ）、電子タグ、トランスポンダと呼ばれ、電磁誘導によって無線でデータを送受信する装置に用いられる無線モジュール、およびその無線モジュールを備えた腕時計に関する。
【背景技術】
【０００２】
従来、腕時計においては、基板にＩＣチップおよびアンテナを搭載した無線モジュールを腕時計ケース内に組み込み、電磁誘導によって無線でデータを送受信するようにしたものがある。
【０００３】
この種の腕時計は、時計チップやトランスポンダチップなどのＩＣチップおよびアンテナを基板に搭載してＲＦＩＤモジュールを構成し、このＲＦＩＤモジュールを腕時計ケース内に組み込んだ構成になっている。
【０００４】
この場合、基板は、文字盤を兼ねるものであり、腕時計ケース内に組み込まれた時刻表示部の周囲を囲むように、リング形状に形成され、その表裏面の少なくとも一面にアンテナが設けられていると共に、リング形状の一部が幅広に形成され、この幅広部分にＩＣチップが設けられるように構成されている。
【特許文献１】特表２０００−５０９８１３号公報
【発明の開示】
【発明が解決しようとする課題】
【０００５】
しかしながら、従来の腕時計では、ＲＦＩＤモジュールの基板をリング形状に形成すると共に、その一部を幅広に形成し、この幅広部分にＩＣチップを設けた構成であるから、ＩＣチップを設けるための幅広部分によってリング形状の基板の内径が制約を受けるという問題がある。
【０００６】
このような問題は、腕時計ケース内にＲＦＩＤモジュールを組み込んだ場合、ＲＦＩＤモジュールの基板の外径を一定の大きさに制限すると、ＩＣチップを設けるための幅広部分によって基板の内径が制約を受けて小さくなり、このためリング形状の基板によって腕時計ケース内の時刻表示部の表示領域が狭くなり、表示領域を十分に確保することができないという問題が生じる。
【０００７】
この発明が解決しようとする課題は、ＩＣチップが設けられる部分によって表示部の表示領域が制約を受けることがなく、表示部の表示領域を十分に確保することができる無線モジュール、およびその無線モジュールを備えた腕時計を提供することにある。
【課題を解決するための手段】
【０００８】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図９に示すように、表示部（時刻表示部１０）の周囲を囲む枠状部（１５、２３）に折曲部（１６、２４）を折り曲げ可能に設けたフィルム基板（１２、２１）と、このフィルム基板の前記枠状部の表裏面の少なくとも一面に配線（１７、２８）を設けてなるアンテナ（１３、２２）と、前記フィルム基板の前記折曲部に設けられて前記アンテナと電気的に接続されたＩＣチップ（１４）とを備えたことを特徴とする無線モジュール（１１、２０）である。
【０００９】
請求項２に記載の発明は、図６〜図９に示すように、前記枠状部（２３）が、第１枠状部（２５）と第２枠状部（２６）とを互いに重なり合うように連結部（２７）によって折り曲げ可能に連結した構成で、前記第１枠状部に前記折曲部（２４）が設けられ、前記アンテナ（２２）が、前記第１、第２枠状部を展開した状態で前記第１、第２枠状部の同一面側に位置する各一面と前記第１枠状部の他面とに配線（２８）を設けてなる構成であることを特徴とする請求項１に記載の無線モジュール（２０）である。
【００１０】
請求項３に記載の発明は、図１〜図９に示すように、腕時計ケース（１）と、この腕時計ケースの上部に設けられた時計ガラス（３）と、この時計ガラスに対応して前記腕時計ケース内に設けられた時刻表示部（１０）と、前記時計ガラスの下側に配置されて前記時刻表示部の周囲を囲む無線モジュール（１１、２０）とを備え、この無線モジュールが、前記時刻表示部の周囲を囲む枠状部（１５、２３）に折曲部（１６、２４）を折り曲げ可能に設けたフィルム基板（１２、２１）と、このフィルム基板の前記枠状部の表裏面の少なくとも一面に配線（１７、２８）を設けてなるアンテナ（１３、２２）と、前記フィルム基板の前記折曲部に設けられて前記アンテナと電気的に接続されたＩＣチップ（１４）とからなることを特徴とする無線モジュールを備えた腕時計である。
【００１１】
請求項４に記載の発明は、図６〜図９に示すように、前記フィルム基板（２１）の前記枠状部（２３）が、第１枠状部（２５）と第２枠状部（２６）とを互いに重なり合うように折り曲げ可能に連結すると共に、前記第１枠状部に前記折曲部（２４）を設けた構成で、前記アンテナ（２２）が、前記第１、第２枠状部を展開した状態で前記第１、第２枠状部の同一面側に位置する各一面と前記第１枠状部の他面とに配線（２８）を設けてなる構成であることを特徴とする請求項３に記載の無線モジュールを備えた腕時計である。
【発明の効果】
【００１２】
請求項１に記載の発明によれば、表示部の周囲を囲む枠状部に折曲部を折り曲げ可能に設けたフィルム基板を備え、このフィルム基板の枠状部における表裏面の少なくとも一面に配線を設けてアンテナを構成し、フィルム基板の折曲部にＩＣチップを設けたので、この折曲部が枠状部からフィルム基板の面方向に突出していても、この突出した折曲部を枠状部の外周から突出しないように折り曲げることができる。このため、フィルム基板全体の外径が大きくならず、しかもフィルム基板の枠状部の内径がＩＣチップを設けるための折曲部によって制約を受けることがないので、枠状部の内径が小さくなることがない。このため、ＩＣチップが設けられる部分によって表示部の表示領域が制約を受けることがなく、表示部の表示領域を十分に確保することができる。
【００１３】
請求項２に記載の発明によれば、フィルム基板にアンテナを形成するときに、互いに重なり合うように連結部によって連結された第１、第２枠状部を展開させ、この状態で第１、第２枠状部の同一面側に位置する両者の各一面と第１枠状部の他面とに配線を設け、この後、第１、第２枠状部を連結部で折り曲げて第１、第２枠状部の他面同士を互いに重ね合わせると、各配線が互いに接触しない３層構造のアンテナを形成することができる。これにより、アンテナの密度を高めることができると共に受信感度をも高めることができるので、第１、第２枠状部を重ね合わせてなる枠状部の外径を一定の大きさに制限した場合、その内径を最大限に大きくすることができ、このため、より一層、表示部の表示領域を広くすることができる。
【００１４】
請求項３に記載の発明によれば、時計ガラスの下側に配置されて時刻表示部の周囲を囲む無線モジュールが、時刻表示部の周囲を囲む枠状部に折曲部を折り曲げ可能に設けたフィルム基板と、このフィルム基板の枠状部の表裏面の少なくとも一面に配線を設けてなるアンテナと、フィルム基板の折曲部に設けられたＩＣチップとからなるので、請求項１に記載の発明と同様、折曲部が枠状部からフィルム基板の面方向に突出していても、この折曲部を枠状部の外周から突出しないように折り曲げることができるので、ＩＣチップが設けられる部分によって時刻表示部の表示領域が制約を受けることがなく、時刻表示部の表示領域を十分に確保することができる。
【００１５】
請求項４に記載の発明によれば、請求項２に記載の発明と同様、フィルム基板にアンテナを形成するときに、互いに重なり合うように連結部によって連結された第１、第２枠状部を展開させ、この状態で第１、第２枠状部の同一面側に位置する両者の各一面と第１枠状部の他面とに配線を設け、この後、第１、第２枠状部を連結部で折り曲げて第１、第２枠状部の他面同士を互いに重ね合わせると、各配線が互いに接触しない３層構造のアンテナを形成することができる。これにより、アンテナの密度を高めることができると共に受信感度をも高めることができるので、第１、第２枠状部を重ね合わせてなる枠状部の外径を一定の大きさに制限した場合、その内径を最大限に大きくすることができ、このため、より一層、時刻表示部の表示領域を広くすることができる。
【発明を実施するための最良の形態】
【００１６】
（実施形態１）
以下、図１〜図５を参照して、この発明の無線モジュールを腕時計に適用した実施形態１について説明する。
図１はこの発明の腕時計の正面図、図２はそのＡ−Ａ矢視における断面図である。
この腕時計は、図１および図２に示すように、腕時計ケース１を備えている。この腕時計ケース１の外周面には、合成樹脂製のベゼル２が設けられており、この腕時計ケース１の上部には、時計ガラス３が装着されている。また、この腕時計ケース１の内部には、図２に示すように、時計モジュール４が配置されており、腕時計ケース１の下面には、裏蓋５が防水リング６を介して取り付けられている。さらに、腕時計ケース１の外周部における３時側、６時側、９時側には、図１および図２に示すように、押釦スイッチ７がそれぞれ設けられている。
【００１７】
この場合、時計モジュール４は、デジタル機能とアナログ機能とのうち、少なくとも一方を備えたものであり、図２に示すように、ハウジング８を備えている。このハウジング８内には、時刻表示部１０が時計ガラス３に対応して設けられているほか、時計機能に必要な各種の部品（図示せず）が組み込まれている。この場合、時刻表示部１０は、図２に示すように、デジタル機能の場合、液晶表示素子やＥＬ表示素子（エレクトロルミネッセンス表示素子）などの平面型の表示素子であるが、アナログ機能の場合には、図示しないが、アナログムーブメントによって指針が運針する構造のものである。
【００１８】
また、このハウジング８の上面には、無線モジュール１１が時刻表示部１０の周囲を囲むように設けられている。この無線モジュール１１は、図３および図４に示すように、フィルム基板１２にアンテナ１３とＩＣチップ１４とを設けた構成になっている。すなわち、フィルム基板１２は、時刻表示部１０の周囲を囲むリング形状の枠状部１５と、この枠状部１５の外周における１２時側に設けられた折り曲げ可能な折曲部１６とからなり、これらをフィルムで一体に形成した構成になっている。この場合、枠状部１５にはアンテナ１３が設けられており、折曲部１６にはＩＣチップ１４が設けられている。
【００１９】
アンテナ１３は、枠状部１５の上下面にそれぞれ配線１７をほぼ渦巻状に連続させて形成した構成になっている。すなわち、枠状部１５の上下面に形成された配線１７は、スルーホール１８によって連続する一つの渦巻状になるように構成されている。この場合、枠状部１５の下面の各配線１７は、図４に示すように、その最内周の配線１７を折曲部１６に導くために、１２時側付近で不連続に形成されているが、この不連続部分の配線１７は、図３に示すように、枠状部１５の上面に設けられた接続配線１９にスルーホール１８によって接続されていることにより、連続する一つの渦巻状になるように形成されている。また、ＩＣチップ１４は、ＲＦＩＤチップなどの半導体チップであり、折曲部１６の下面に設けられて、アンテナ１３の連続する配線１７の両端部が電気的に接続されている。
【００２０】
この無線モジュール１１を腕時計ケース１内に組み込む場合には、図５に示すように、まず、フィルム基板１２の折曲部１６をフィルム基板１２の下面側に向けてほぼ直角に折り曲げる。これにより、折曲部１６が枠状部１５の外周から側方に突出しないようにする。この状態で、腕時計ケース１内に挿入させて、枠状部１５の上面を時計ガラス３の下面に対向させると共に、折曲部１６を時計モジュール４のハウジング８の側部に対応させる。この後、時刻表示部１０が設けられたハウジング８が腕時計ケース１内に組み込まれると、無線モジュール１１がハウジング８の時刻表示部１０の周囲を囲んで配置される。
【００２１】
このような腕時計では、無線モジュール１１がハウジング８の時刻表示部１０の周囲を囲んで配置されているので、通常の腕時計と同様、腕時計ケース１の外部から時計ガラス３を通して時刻表示部１０で時刻などの情報を知ることができるほか、特に電磁界を発生する外部機器のリーダライタに腕時計を接近させると、このリーダライタで発生した電磁界によって、腕時計ケース１内に組み込まれた無線モジュール１１のアンテナ１３に電磁誘導により電流が流れ、これによりリーダライタと無線モジュール１１との間でデータの送受信ができる。
【００２２】
このように、この腕時計によれば、無線モジュール１１が、時刻表示部１０の周囲を囲む枠状部１５に折曲部１６を折り曲げ可能に設けたフィルム基板１２を備え、このフィルム基板１２の枠状部１５における上下面に配線１７を設けてアンテナ１３を構成すると共に、フィルム基板１２の折曲部１６にＩＣチップ１４を設けたので、この折曲部１６が枠状部１５からフィルム基板１２の面方向に突出していても、この突出した折曲部１６をフィルム基板１２の面方向と直交する方向に折り曲げることにより、折曲部１６が枠状部１５の外周から側方に突出しないようにすることができる。
【００２３】
このため、フィルム基板１２の枠状部１５の外径が大きくならず、しかも枠状部１５の内径がＩＣチップ１３を設けるための折曲部１６によって制約を受けて小さくなることがないので、折曲部１６によって時刻表示部１０の表示領域が制約を受けることがなく、時刻表示部１０の表示領域を十分に確保することができる。この場合には、特に枠状部１５の上下両面にアンテナ１３の配線１７が一つの渦巻状に連続して形成されているので、枠状部１５の一面のみにアンテナ１３の配線１７を設けた場合に比べて、上下の各面における配線１７の巻き数を削減できるので、より一層、表示領域を広くすることができるほか、アンテナ１３の形成密度を高くすることができると共に受信感度をも高くすることができ、これにより確実に且つ良好にデータの送受信ができる。
【００２４】
例えば、この腕時計では、リング形状の枠状部１５の外径を一定の大きさに制限した場合、その内径が１９．２ｍｍ（従来も同じ）で、最も狭い１２時と６時との間の内径幅が１７．７ｍｍ（従来では１４．２ｍｍ）となり、時刻表示部１０の表示領域における３時と９時との間の内径幅が１８．２ｍｍ（従来も同じ）で、１２時と６時との間の内径幅が１６．０ｍｍ（従来では１３．２ｍｍ）となり、従来のものよりも、時刻表示部１０の表示領域を広くすることができる。
【００２５】
なお、上記実施形態１では、フィルム基板１２の枠状部１５の上下両面にアンテナ１３を設けた場合について述べたが、必ずしも枠状部１５の上下両面にアンテナ１３を設ける必要はなく、枠状部１５の上下両面のうち、少なくとも一面にアンテナ１３を設けた構成でも良い。
【００２６】
（実施形態２）
次に、図６〜図９を参照して、この発明の無線モジュールを腕時計に適用した実施形態２について説明る。なお、図１〜図５に示された実施形態１と同一部分には同一符号を付して説明する。
この腕時計は、無線モジュール２０が実施形態１と異なる構造で、これ以外は実施形態１とほぼ同じ構造になっている。すなわち、この無線モジュール２０は、図７〜図９に示すように、フィルム基板２１にアンテナ２２とＩＣチップ１４とを設けた構成になっている。
【００２７】
フィルム基板２１は、時刻表示部１０の周囲を囲むリング形状の枠状部２３と、この枠状部２３に折り曲げ可能に設けられた折曲部２４とからなり、これらをフィルムで一体に形成した構成になっている。この場合、枠状部２３は、図７および図８に示すように、リング形状の第１枠状部２５とリング形状の第２枠状部２６とが連結部２７によって互いに重なり合うように折り曲げ可能に連結され、第１、第２枠状部２５、２６を展開させた状態のときに、ほぼ８の字形状になるように構成されている。また、折曲部２４は、第１枠状部２５の外周における１２時側にその側方に突出して設けられている。
【００２８】
アンテナ２２は、図７および図８に示すように、第１、第２枠状部２５、２６の各上面と第１枠状部２５の下面とに配線２８を連続させて設けた構成になっている。この場合、第１、第２枠状部２５、２６の各上面に設けられた配線２８は、全体がほぼ８の字状に形成されていると共に、第１、第２枠状部２５、２６の連結部２７において配線２８が交差する一方側の配線２８が不連続に形成され、この不連続部分の配線２８が連続部２７の下面に設けられた接続配線２９にスルーホール３０によって接続されていることにより、ほぼ８の字状に連続するように形成されている。
【００２９】
また、第１枠状部２５の下面に設けられた配線２８は、実施形態１と同様、その最内周の配線２８を折曲部２４に導くために、１２時側で不連続に形成されているが、この不連続部分の配線２８は、図７に示すように、第１枠状部２５の上面に設けられた接続配線２９にスルーホール３０によって接続されて連続するように形成されている。これにより、アンテナ２２は、その配線２８が第１、第２枠状部２５、２６の各上面と第１枠状部２５の下面とにそれぞれ設けられていると共に、これら配線２８が連続する一つの渦巻状になるように構成されている。なお、ＩＣチップ１４は、ＲＦＩＤチップなどの半導体チップであり、折曲部２４の下面に設けられ、アンテナ２２と電気的に接続されている。
【００３０】
このような無線モジュール２０を製作する場合には、まず、図７および図８に示すように、フィルム基板２１の第１、第２枠状部２５、２６および折曲部２４を展開させ、この状態でアンテナ２２の配線２８を第１、第２枠状部２５、２６の各上面と第１枠状部２５の下面とに連続する一つの渦巻状になるように形成する。そして、折曲部２４にＩＣチップ１４を設けた後、第１、第２枠状部２５、２６を連結部２７で折り曲げて第１、第２枠状部２５、２６の下面同士を互いに重ね合わせると、図９に示すように、枠状部２３が形成されると共に、配線２８同士が接触しない３層構造のアンテナ２２が形成される。これにより、３層構造のアンテナ２２を有する無線モジュール２０が得られる。
【００３１】
この無線モジュール２０を腕時計ケース１内に組み込む場合には、図９に示すように、フィルム基板２１の折曲部２４をフィルム基板２１の下面側に向けてほぼ直角に折り曲げ、ることにより、実施形態１と同様、折曲部２４が枠状部２３の外周から側方に突出しないようにする。そして、腕時計ケース１内に挿入させて、枠状部２３の上面を時計ガラス３の下面に対向させると共に、折曲部２４を時計モジュール４のハウジング８の側部に対応させる。この状態で、時刻表示部１０が設けられたハウジング８が腕時計ケース１内に組み込まれると、無線モジュール２０がハウジング８の時刻表示部１０の周囲を囲んで配置される。
【００３２】
このような腕時計では、実施形態１と同様、無線モジュール２０がハウジング８の時刻表示部１０の周囲を囲んで配置されているので、腕時計ケース１の外部から時計ガラス３を通して時刻表示部１０で時刻などの情報を知ることができるほか、特に電磁界を発生する外部機器のリーダライタに腕時計を接近させると、このリーダライタで発生した電磁界によって、腕時計ケース１内に組み込まれた無線モジュール２０のアンテナ２２に電磁誘導により電流が流れ、これによりリーダライタと無線モジュール２０との間でデータの送受信ができる。
【００３３】
このように、この腕時計においても、実施形態１と同様の作用効果があるほか、特に枠状部２３が、第１、第２枠状部２５、２６を連結部２７によって互いに重なり合うように折り曲げ可能に連結した構成で、第１枠状部２５に折曲部２４を設け、この枠状部２３における第１、第２枠状部２５、２６の各上面と第１枠状部２５の下面とに配線２８を一つの渦巻状になるように連続させて設けることにより、アンテナ２２を構成したので、第１、第２枠状部２５、２６を展開させた状態でアンテナ２２の配線２８を形成することができ、この後、第１、第２枠状部２５、２６を連結部２７で折り曲げて重ね合わせることにより、３層構造のアンテナ２２を得ることができる。
【００３４】
このため、実施形態１の無線モジュール１１よりも、無線モジュール２０におけるアンテナ２２の密度を高めることができると共に受信感度をも高めることができるほか、第１、第２枠状部２５、２６の各上面と第１枠状部２５の下面とに設けられる各配線２８の巻き数を削減することができるので、第１、第２枠状部２５、２６を重ね合わせてなる枠状部２３の外径を一定の大きさに制限した場合、その内径を最大限に大きくすることができる。このため、実施形態１のように枠状部１５の上下面に配線１７を設けた２層構造のアンテナ１３に比べて、アンテナ２２の枠状部２３の内径を更に大きくすることができ、より一層、時刻表示部１０の表示領域を広くすることができる。
【００３５】
例えば、この腕時計では、リング形状の枠状部２３の外径を一定の大きさに制限した場合、その内径が２０．６ｍｍ（従来では１９．６ｍｍ）で、最も狭い１２時と６時との間の内径幅が１７．７ｍｍ（従来では１４．２ｍｍ）となり、時刻表示部１０の表示領域における３時と９時との間の内径幅が１９．６ｍｍ（従来では１８．２ｍｍ）で、１２時と６時との間の内径幅が１６．０ｍｍ（従来では１３．２ｍｍ）となり、従来のものよりも、時刻表示部１０の表示領域を大幅に広くすることができる。
【００３６】
なお、上記実施形態１、２、およびその変形例では、無線モジュール１１、２０を腕時計に適用した場合について述べたが、これに限らず、携帯電話機、電子辞書、電子カメラ、ＰＤＡ（パーソナル・デジタル・アシスタント）などの電子機器に適用することができるほか、非接触型のＩＣカードなどにも広く適用することができる。
【図面の簡単な説明】
【００３７】
【図１】この発明の無線モジュールを適用した腕時計の正面図である。（実施形態１）
【図２】図１のＡ−Ａ矢視における断面図である。
【図３】図２の無線モジュールを上方から見た上面図である。
【図４】図２の無線モジュールを下方から見た下面図である。
【図５】図３の無線モジュールの折曲部を折り曲げた状態の側面図である。
【図６】この発明の無線モジュールを適用した腕時計の正面図である。（実施形態２）
【図７】図６の腕時計に組み込まれる無線モジュールを展開した状態の上面図である。
【図８】図７の無線モジュールを下方から見た下面図である。
【図９】図７の第１、第２枠状部を重ね合わせて折曲部を折り曲げた状態を示した側面図である。
【符号の説明】
【００３８】
１  腕時計ケース
３  時計ガラス
４  時計モジュール
１１、２０  無線モジュール
１２、２１  フィルム基板
１３、２２  アンテナ
１４  ＩＣチップ
１５、２３  枠状部
１６、２４  折曲部
１７、２８  配線
１８、３０  スルーホール
１９、２９  接続配線
２５  第１枠状部
２６  第２枠状部
２７  連結部
【図１】
2005181163.tif 000003
【図２】
2005181163.tif 000004
【図３】
2005181163.tif 000005
【図４】
2005181163.tif 000006
【図５】
2005181163.tif 000007
【図６】
2005181163.tif 000008
【図７】
2005181163.tif 000009
【図８】
2005181163.tif 000010
【図９】
2005181163.tif 000011